(57)【要約】【課題】情報を提供する資格のある該当者からの情報を収集することができ、該当者以外からの情報を排除して、情報の信憑性を保つことができる情報収集装置、コード表示装置、情報収集方法及び情報収集システムを提供することを目的とする。【解決手段】ネットワーク３経由で情報を提供する資格のある該当者からの情報を収集する情報収集装置１であって、認証情報から生成したコードを運搬可能な記録媒体、ネットワーク経由でアクセス可能な記録媒体、又は放送信号に記録するコード記録手段１０と、運搬された記録媒体、ネットワーク経由でアクセスされた記録媒体、又は放送された放送信号のコードから復号された認証情報をネットワーク３経由でユーザ端末２から受信し、認証情報の認証を行う認証手段２１と、ユーザ端末２から受け付けた情報の登録を行う情報登録手段２２と、登録された情報を提供する情報提供手段２３とを有することにより上記課題を解決する。【選択図】図６
2008234621.tif 000002
【特許請求の範囲】
【請求項１】
ネットワーク経由で情報を提供する資格のある該当者からの情報を収集する情報収集装置であって、
認証情報から生成したコードを、運搬可能な記録媒体、ネットワーク経由でアクセス可能な記録媒体、又は放送信号に記録するコード記録手段と、
運搬された記録媒体、ネットワーク経由でアクセスされた記録媒体、又は放送された放送信号の前記コードから復号された認証情報を前記ネットワーク経由でユーザ端末から受信し、受信した認証情報の認証を行う認証手段と、
認証が成功した前記ユーザ端末から受け付けた情報の登録を行う情報登録手段と、
登録された前記情報を提供する情報提供手段と
を有することを特徴とする情報収集装置。
【請求項２】
前記生成されるコードは、１回しか利用できない認証情報及び前記ユーザ端末が前記情報を登録する際の接続先情報から生成されることを特徴とする請求項１記載の情報収集装置。
【請求項３】
前記放送信号はデータ放送コンテンツであり、
前記コード記録手段は、前記コードの画像データと、前記コードを表示可能な受信機の識別情報と、前記受信機で動作するプログラムとを含む前記データ放送コンテンツを生成し、
前記プログラムは、前記データ放送コンテンツを受信した受信機を、自機の識別情報を取得し、その識別情報が前記コードを表示可能な受信機の識別情報と一致すれば前記コードの画像データを取得して画面に表示するように動作させることを特徴とする請求項１又は２記載の情報収集装置。
【請求項４】
前記放送信号はデータ放送コンテンツであり、
前記コード記録手段は、前記コードの画像データと、前記コードを表示可能な受信機の識別情報及び前記コードの画像データの組み合わせ情報と、前記受信機で動作するプログラムとを含む前記データ放送コンテンツを生成し、
前記プログラムは、前記データ放送コンテンツを受信した受信機を、自機の識別情報を取得し、その識別情報に対応する前記コードの画像データを前記組み合わせ情報に基づいて取得して画面に表示するように動作させることを特徴とする請求項１又は２記載の情報収集装置。
【請求項５】
前記コード記録手段は、前記情報の登録に利用された前記コードを新たな前記コードに代えるように、前記データ放送コンテンツを更新することを特徴とする請求項３又は４記載の情報収集装置。
【請求項６】
前記コード記録手段は、所定時間毎に、前記コードを新たな前記コードに代えるように、前記データ放送コンテンツを更新することを特徴とする請求項３又は４記載の情報収集装置。
【請求項７】
前記情報提供手段は、登録された前記情報を放送する放送手段であることを特徴とする請求項１乃至６何れか一項記載の情報収集装置。
【請求項８】
ユーザ端末と、情報を提供する資格のある該当者を、コードから復号された認証情報を利用して認証し、ネットワーク経由で前記情報を提供する資格のある該当者からの情報を収集する情報収集装置とを有する情報収集システムにて利用されるコード表示装置であって、
所定のパラメータから認証情報を生成する認証情報生成手段と、
前記パラメータ及び前記認証情報からコードを生成するコード生成手段と、
前記コードを表示する表示手段と、
位置を測位する位置測位手段と、
自機の設置位置を保持する設置位置保持手段と、
前記位置測位手段により測位した位置と、前記設置位置保持手段が保持する位置とが所定距離以上離れていれば、前記表示手段への前記コードの表示を停止する表示停止手段と
を有することを特徴とするコード表示装置。
【請求項９】
前記認証情報生成手段は、前記情報収集装置が有する関数と同一の関数を利用して、前記パラメータから前記認証情報を生成することを特徴とする請求項８記載のコード表示装置。
【請求項１０】
前記コード表示装置は、前記情報収集装置からデータ放送コンテンツを受信する受信機とデータ通信可能に接続され、
前記表示停止手段は、前記データ放送コンテンツから所定時間毎に受信する認証コード及び前記受信機の識別情報を用いて認証を行い、認証に失敗すれば前記コードの表示を停止することを特徴とする請求項８記載のコード表示装置。
【請求項１１】
ネットワーク経由で情報を提供する資格のある該当者からの情報を収集する情報収集装置における情報収集方法であって、
前記情報収集装置が、認証情報から生成したコードを、運搬可能な記録媒体、ネットワーク経由でアクセス可能な記録媒体、又は放送信号に記録するコード記録ステップと、
前記情報収集装置が、運搬された記録媒体、ネットワーク経由でアクセスされた記録媒体、又は放送された放送信号の前記コードから復号された認証情報を前記ネットワーク経由でユーザ端末から受信するステップと、
前記情報収集装置が、受信した認証情報の認証を行う認証ステップと、
前記情報収集装置が、認証が成功した前記ユーザ端末から受け付けた情報の登録を行う情報登録ステップと、
前記情報収集装置が、登録された前記情報を提供する情報提供ステップと
を有することを特徴とする情報収集方法。
【請求項１２】
ユーザ端末と、ネットワーク経由で情報を提供する資格のある該当者からの情報を収集する情報収集装置とを有する情報収集システムであって、
前記情報収集装置は、認証情報から生成したコードを、運搬可能な記録媒体、ネットワーク経由でアクセス可能な記録媒体、又は放送信号に記録するコード記録手段と、
運搬された記録媒体、ネットワーク経由でアクセスされた記録媒体、又は放送された放送信号の前記コードから復号された認証情報を前記ネットワーク経由でユーザ端末から受信し、受信した認証情報の認証を行う認証手段と、
認証が成功した前記ユーザ端末から情報の登録を受け付ける情報登録手段と、
登録された前記情報を提供する情報提供手段とを有し、
前記ユーザ端末は、運搬された記録媒体、ネットワーク経由でアクセスされた記録媒体、又は放送された放送信号からコードを読み取り、前記コードから認証情報を復号する認証情報復号手段と、
前記コードから復号した認証情報を前記ネットワーク経由で前記認証手段に送信する認証情報送信手段と、
認証が成功した後、前記該当者に情報を入力させ、前記情報の登録を前記情報登録手段に要求する情報登録要求手段とを有する
ことを特徴とする情報収集システム。
【請求項１３】
ユーザ端末と、コードを表示するコード表示装置と、情報を提供する資格のある該当者を、コードから復号された認証情報を利用して認証し、ネットワーク経由で前記情報を提供する資格のある該当者からの情報を収集する情報収集装置とを有する情報収集システムであって、
前記コード表示装置は、
所定のパラメータから認証情報を生成する認証情報生成手段と、
前記パラメータ及び前記認証情報からコードを生成するコード生成手段と、
前記コードを表示する表示手段と、
位置を測位する位置測位手段と、
自機の設置位置を保持する設置位置保持手段と、
前記位置測位手段により測位した位置と、前記設置位置保持手段が保持する位置とが所定距離以上離れていれば、前記表示手段への前記コードの表示を停止する表示停止手段とを有し、
前記ユーザ端末は、
前記コード表示装置の表示手段からコードを読み取り、前記コードから前記パラメータ及び前記認証情報を復号する認証情報復号手段と、
前記コードから復号した前記パラメータ及び前記認証情報を前記ネットワーク経由で前記認証手段に送信する認証情報送信手段と、
認証が成功した後、前記該当者に情報を入力させ、前記情報の登録を前記情報登録手段に要求する情報登録要求手段とを有し、
前記情報収集装置は、
前記コードから復号された前記パラメータ及び前記認証情報を前記ネットワーク経由でユーザ端末から受信し、受信した前記パラメータ及び前記認証情報の認証を行う認証手段と、
認証が成功した前記ユーザ端末から情報の登録を受け付ける情報登録手段と、
登録された前記情報を提供する情報提供手段と
を有することを特徴とする情報収集システム。
【発明の詳細な説明】
【技術分野】
【０００１】
本発明は、情報収集装置、コード表示装置、情報収集方法及び情報収集システムに係り、特に情報を提供する資格のある該当者からの情報をネットワーク経由で収集する情報収集装置、コード表示装置、情報収集方法及び情報収集システムに関する。
【背景技術】
【０００２】
例えば放送局では大規模災害が発生した際に、被災者の安否情報を収集して放送している。従来、放送局は被災者からの安否情報を電話やファックスで収集していた。また、その他の方法として、放送局では災害時に被災者の安否情報をインターネット上に開設した安否情報登録サイトに登録してもらうことで収集していた。
【０００３】
ところで、携帯電話の音声通話回線は災害時に輻輳する傾向にある。一方、携帯電話のパケット通信回線は比較的利用できる。例えば特許文献１には携帯端末からの安否情報を受け取る災害情報システムの一例が記載されている。
【特許文献１】特開２００７−１８４３２号公報
【発明の開示】
【発明が解決しようとする課題】
【０００４】
しかし、携帯メールやＷｅｂを利用して安否情報を収集する場合は「どこからでも、誰でも登録できる」という特徴から「被災者であることを特定することが不可能」であり、被災者になりすました偽の情報（所謂、いたずら）が多く、安否情報の信憑性が低下するという問題があった。
【０００５】
したがって、放送局では大規模災害が発生した際に、被災地（避難所）からの安否情報を、インターネットを利用して効率的に収集し、かつ、いたずらを限定的にすることが求められている。
【０００６】
本発明は、上記の点に鑑みなされたもので、情報を提供する資格のある該当者からの情報を収集することができ、該当者以外からの情報を排除して、情報の信憑性を保つことができる情報収集装置、コード表示装置、情報収集方法及び情報収集システムを提供することを目的とする。
【課題を解決するための手段】
【０００７】
上記課題を解決するため、本発明は、ネットワーク経由で情報を提供する資格のある該当者からの情報を収集する情報収集装置であって、認証情報から生成したコードを、運搬可能な記録媒体、ネットワーク経由でアクセス可能な記録媒体、又は放送信号に記録するコード記録手段と、運搬された記録媒体、ネットワーク経由でアクセスされた記録媒体、又は放送された放送信号の前記コードから復号された認証情報を前記ネットワーク経由でユーザ端末から受信し、受信した認証情報の認証を行う認証手段と、認証が成功した前記ユーザ端末から受け付けた情報の登録を行う情報登録手段と、登録された前記情報を提供する情報提供手段と
を有することを特徴とする。
【０００８】
また、本発明は、ユーザ端末と、情報を提供する資格のある該当者を、コードから復号された認証情報を利用して認証し、ネットワーク経由で前記情報を提供する資格のある該当者からの情報を収集する情報収集装置とを有する情報収集システムにて利用されるコード表示装置であって、所定のパラメータから認証情報を生成する認証情報生成手段と、前記パラメータ及び前記認証情報からコードを生成するコード生成手段と、前記コードを表示する表示手段と、位置を測位する位置測位手段と、自機の設置位置を保持する設置位置保持手段と、前記位置測位手段により測位した位置と、前記設置位置保持手段が保持する位置とが所定距離以上離れていれば、前記表示手段への前記コードの表示を停止する表示停止手段とを有することを特徴とする。
【０００９】
また、本発明は、ネットワーク経由で情報を提供する資格のある該当者からの情報を収集する情報収集装置における情報収集方法であって、前記情報収集装置が、認証情報から生成したコードを、運搬可能な記録媒体、ネットワーク経由でアクセス可能な記録媒体、又は放送信号に記録するコード記録ステップと、前記情報収集装置が、運搬された記録媒体、ネットワーク経由でアクセスされた記録媒体、又は放送された放送信号の前記コードから復号された認証情報を前記ネットワーク経由でユーザ端末から受信するステップと、前記情報収集装置が、受信した認証情報の認証を行う認証ステップと、前記情報収集装置が、認証が成功した前記ユーザ端末から受け付けた情報の登録を行う情報登録ステップと、前記情報収集装置が、登録された前記情報を提供する情報提供ステップとを有することを特徴とする。
【００１０】
また、本発明は、ユーザ端末と、ネットワーク経由で情報を提供する資格のある該当者からの情報を収集する情報収集装置とを有する情報収集システムであって、前記情報収集装置は、認証情報から生成したコードを、運搬可能な記録媒体、ネットワーク経由でアクセス可能な記録媒体、又は放送信号に記録するコード記録手段と、運搬された記録媒体、ネットワーク経由でアクセスされた記録媒体、又は放送された放送信号の前記コードから復号された認証情報を前記ネットワーク経由でユーザ端末から受信し、受信した認証情報の認証を行う認証手段と、認証が成功した前記ユーザ端末から情報の登録を受け付ける情報登録手段と、登録された前記情報を提供する情報提供手段とを有し、前記ユーザ端末は、運搬された記録媒体、ネットワーク経由でアクセスされた記録媒体、又は放送された放送信号からコードを読み取り、前記コードから認証情報を復号する認証情報復号手段と、前記コードから復号した認証情報を前記ネットワーク経由で前記認証手段に送信する認証情報送信手段と、認証が成功した後、前記該当者に情報を入力させ、前記情報の登録を前記情報登録手段に要求する情報登録要求手段とを有する
ことを特徴とする。
【００１１】
また、本発明は、ユーザ端末と、コードを表示するコード表示装置と、情報を提供する資格のある該当者を、コードから復号された認証情報を利用して認証し、ネットワーク経由で前記情報を提供する資格のある該当者からの情報を収集する情報収集装置とを有する情報収集システムであって、前記コード表示装置は、所定のパラメータから認証情報を生成する認証情報生成手段と、前記パラメータ及び前記認証情報からコードを生成するコード生成手段と、前記コードを表示する表示手段と、位置を測位する位置測位手段と、自機の設置位置を保持する設置位置保持手段と、前記位置測位手段により測位した位置と、前記設置位置保持手段が保持する位置とが所定距離以上離れていれば、前記表示手段への前記コードの表示を停止する表示停止手段とを有し、前記ユーザ端末は、前記コード表示装置の表示手段からコードを読み取り、前記コードから前記パラメータ及び前記認証情報を復号する認証情報復号手段と、前記コードから復号した前記パラメータ及び前記認証情報を前記ネットワーク経由で前記認証手段に送信する認証情報送信手段と、認証が成功した後、前記該当者に情報を入力させ、前記情報の登録を前記情報登録手段に要求する情報登録要求手段とを有し、前記情報収集装置は、前記コードから復号された前記パラメータ及び前記認証情報を前記ネットワーク経由でユーザ端末から受信し、受信した前記パラメータ及び前記認証情報の認証を行う認証手段と、認証が成功した前記ユーザ端末から情報の登録を受け付ける情報登録手段と、登録された前記情報を提供する情報提供手段とを有することを特徴とする。
【００１２】
なお、本発明の構成要素、表現または構成要素の任意の組合せを、方法、装置、システム、コンピュータプログラム、記録媒体、データ構造などに適用したものも本発明の態様として有効である。
【発明の効果】
【００１３】
本発明によれば、情報を提供する資格のある該当者からの情報を収集することができ、該当者以外からの情報を排除して、情報の信憑性を保つことができる情報収集装置、コード表示装置、情報収集方法及び情報収集システムを提供可能である。
【発明を実施するための最良の形態】
【００１４】
次に、本発明を実施するための最良の形態を、以下の実施例に基づき図面を参照しつつ説明していく。なお、本実施例では情報を提供する資格のある該当者からの情報の一例として被災者の安否情報を収集する例を説明するが、これに限定されるものではない。本実施例では認証情報の一例としてワンタイムパスワードを例に説明するが、これに限定されるものではない。また、本実施例では認証情報から生成したコードの一例としてワンタイムＱＲコードを例に説明するが、これに限定されるものではない。
【実施例１】
【００１５】
図１は本発明の情報収集システムの一例の構成図である。図１の情報収集システムは情報収集装置１と携帯電話２とがインターネット網などのネットワーク３経由で接続されている。携帯電話２はユーザ端末の一例である。
【００１６】
情報収集装置１はＱＲコード記録装置１０及び認証登録放送装置２０を含む構成である。ＱＲコード記録装置１０はコード記録手段の一例である。なお、図１の情報収集システムでは１つの筐体からなる情報収集装置１を一例として記載しているが、ＱＲコード記録装置１０と認証登録放送装置２０とを別々の筐体に設置してもよい。
【００１７】
ＱＲコード記録装置１０は認証情報からワンタイムＱＲコード６を生成し、そのワンタイムＱＲコード６を紙５に印刷又はＣＤ−ＲＯＭ等の記録メディア７に記録する。ワンタイムＱＲコード６を印刷された紙５又はワンタイムＱＲコード６を記録した記録メディア７は例えば被災者のいる避難所４に運搬される。
【００１８】
また、図示していないが、ＱＲコード記録装置１０は、紙５への印刷や記録メディア７への記録に代えて、または同時に、必要なときに外部からネットワーク３経由でワンタイムＱＲコード６が取得できるようにハードディスクなどの記憶装置に保存した状態としてもよい。
【００１９】
紙５に印刷されたワンタイムＱＲコード６は、そのまま携帯電話２の撮影機能を用いて撮影できる。記録メディア７に記録されたワンタイムＱＲコード６はＰＣ８に読み出されることでディスプレイ装置９に表示される。ディスプレイ装置９に表示されたワンタイムＱＲコード６は、そのまま携帯電話２の撮影機能を用いて撮影できる。被災者はワンタイムＱＲコード６を携帯電話２の撮影機能を用いて読み込み、そのワンタイムＱＲコード６から認証情報を復号する。
【００２０】
携帯電話２は復号した認証情報をネットワーク３経由で情報収集装置１の認証登録放送装置２０に送信する。認証登録放送装置２０は受信した認証情報で認証を行い、認証が成功した携帯電話２から安否情報を受け付け、受け付けた安否情報を登録する。認証登録放送装置２０は、認証が成功した携帯電話２から受け付けた安否情報を放送することで、安否情報の信憑性を保つことができる。
【００２１】
紙５や記録メディア７が無い避難所４や災害対策本部などにおいて、何らかのネットワーク端末により情報収集装置１へのネットワーク３によるアクセスが可能ならば、ＱＲコード記録装置１０に対してアクセスし、ネットワーク端末において直接に紙５への印刷、記録メディア７への記録、ネットワーク端末の画面への表示も可能である。
【００２２】
このように、ＱＲコード記録装置１０で記録されたワンタイムＱＲコード６は避難所４などの情報収集装置１とは別の場所に送られて、情報を提供する資格のある該当者である被災者により使用される。
【００２３】
図２は、情報収集装置の一例のハードウェア構成図である。図２の情報収集装置１は、それぞれバスＢで相互に接続された入力装置５１，出力装置５２，ドライブ装置５３，補助記憶装置５４，メモリ装置５５，演算処理装置５６およびインターフェース装置５７で構成される。
【００２４】
入力装置５１はキーボードやマウスなどで構成され、各種信号を入力するために用いられる。出力装置５２はディスプレイ装置などで構成され、各種ウインドウやデータ等を表示するために用いられる。インターフェース装置５７は、モデム，ＬＡＮカードなどで構成されており、ネットワーク３に接続する為に用いられる。
【００２５】
情報収集プログラムは、情報収集装置１を制御する各種プログラムの少なくとも一部である。情報収集プログラムは例えば記録媒体５８の配布やネットワーク３からのダウンロードなどによって提供される。情報収集プログラムを記録した記録媒体５８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２６】
また、情報収集プログラムを記録した記録媒体５８がドライブ装置５３にセットされると、情報収集プログラムは記録媒体５８からドライブ装置５３を介して補助記憶装置５４にインストールされる。ネットワーク３からダウンロードされた情報収集プログラムは、インターフェース装置５７を介して補助記憶装置５４にインストールされる。情報収集装置１は、インストールされた情報収集プログラムを格納すると共に、必要なファイル，データ等を格納する。
【００２７】
メモリ装置５５は、起動時に補助記憶装置５４から情報収集プログラムを読み出して格納する。そして、演算処理装置５６はメモリ装置５５に格納された情報収集プログラムに従って、後述するような各種処理ブロックを実現している。なお、図２のハードウェア構成図では、テレビ放送，ラジオ放送及びデータ放送を行う放送設備の図示を省略している。
【００２８】
図３はＱＲコード記録装置の一例の処理ブロック図である。図３のＱＲコード記録装置１０は、パスワード発生部１１，ワンタイムＱＲコード生成部１２及び記録部１３を含む構成である。パスワード発生部１１はワンタイムパスワードを発生する。このワンタイムパスワードはワンタイムＱＲコード生成部１２と後述する認証登録放送装置２０へ送られる。
【００２９】
ワンタイムＱＲコード生成部１２はワンタイムパスワードからワンタイムＱＲコード６を生成する。記録部１３はワンタイムＱＲコード６を紙５に印刷又は記録メディア７に記録する。ワンタイムＱＲコード６を印刷された紙５又はワンタイムＱＲコード６を記録した記録メディア７は例えば被災者のいる避難所４に運搬される。
【００３０】
被災者は、紙５に印刷されたワンタイムＱＲコード６を携帯電話２の撮影機能を用いて撮影する。また、被災者はＰＣ８に読み出されることでディスプレイ装置９に表示されたワンタイムＱＲコード６を携帯電話２の撮影機能を用いて撮影する。
【００３１】
図４は携帯電話の一例の処理ブロック図である。図４の携帯電話２は、認証情報復号部３１，認証情報送信部３２，情報登録要求部３３を含む構成である。認証情報復号部３１は、撮影機能を用いて読み込んだワンタイムＱＲコード６からワンタイムパスワードを復号する。なお、認証情報復号部３１は認証情報復号手段の一例である。
【００３２】
認証情報送信部３２は、復号したワンタイムパスワードをネットワーク３経由で情報収集装置１の認証登録放送装置２０に送信する。なお、認証情報送信部３２は認証情報送信手段の一例である。
【００３３】
情報登録要求部３３は、情報収集装置１の認証登録放送装置２０に送信したワンタイムパスワードによる認証が成功した場合に、被災者によって入力された安否情報の登録を情報収集装置１の認証登録放送装置２０に要求する。なお、情報登録要求部３３は情報登録要求手段の一例である。
【００３４】
また、図５は認証登録放送装置の一例の処理ブロック図である。図５の認証登録放送装置２０は、認証部２１，安否情報登録部２２及び放送部２３を含む構成である。認証部２１は、携帯電話２から受信したワンタイムパスワードで認証を行う。なお、認証部２１は認証手段の一例である。
【００３５】
安否情報登録部２２は、認証が成功した携帯電話２から安否情報を受け付けて登録する。なお、安否情報登録部２２は情報登録手段の一例である。放送部２３は登録した安否情報をテレビ番組，ラジオ番組，データ放送，ホームページ等で放送する。なお、放送部２３は情報提供手段の一例である。
【００３６】
図６は本発明による情報収集システムの実施例を表した構成図である。図６の実施例は、生成したワンタイムＱＲコード６を紙５に印刷する例を表したものである。
【００３７】
情報収集装置１はＱＲコード記録装置１０及び認証登録放送装置２０を含む構成である。ＱＲコード記録装置１０は、パスワード発生部１１，ワンタイムＱＲコード生成部１２及び印刷部１４を含む構成である。なお、印刷部１４は記録部１３の一例である。認証登録放送装置２０は、認証部２１，安否情報登録部２２及び放送部２３を含む構成である。
【００３８】
パスワード発生部１１は、避難所４の避難所ＩＤ（避難所ＩＤ＝１５４）と対応付けた複数のワンタイムパスワードを発生し、ワンタイムＱＲコード生成部１２及び認証部２１に送信する。
【００３９】
ワンタイムＱＲコード生成部１２は、避難所ＩＤ，安否情報登録サイトのＵＲＬ及び一つのワンタイムパスワードから一つのワンタイムＱＲコード６を生成して印刷部１４に送信する。なお、避難所ＩＤは事前に避難所毎に割り当てられているものとする。
【００４０】
印刷部１４は、受信したワンタイムＱＲコード６を避難所ＩＤ等の付加情報と共に、紙５へ印刷する。付加情報と共にワンタイムＱＲコード６が印刷された紙５は安否情報登録用紙と呼ばれる。例えば安否情報登録用紙は、その避難所へ災害時に避難すると予想される被災者の人数分、印刷される。安否情報登録用紙は避難所ＩＤ毎にまとめられて、避難所４近くの放送局などで保管される。
【００４１】
災害発生後、例えば放送局などの職員が避難所４へ、該当する避難所ＩＤ（避難所ＩＤ＝１５４）が印刷された安否情報登録用紙を運搬する。被災者は、安否情報登録用紙を受け取る。被災者は、安否情報登録用紙のワンタイムＱＲコード６を携帯電話２の撮影機能を用いて読み取る。
【００４２】
携帯電話２は読み込んだワンタイムＱＲコード６から避難所ＩＤ，安否情報登録サイトのＵＲＬ及び一つのワンタイムパスワードを復号する。携帯電話２は復号した安否情報登録サイトのＵＲＬに、インターネット網などのネットワーク経由でアクセスし、復号した避難所ＩＤ及びワンタイムパスワードを送信する。
【００４３】
認証部２１は、パスワード発生部１１から受信した避難所４の避難所ＩＤ（避難所ＩＤ＝１５４）と対応付けた複数のワンタイムパスワード（パスワードリスト）と、携帯電話２から受信した避難所ＩＤ及びワンタイムパスワードとを照合する。
【００４４】
携帯電話２から受信した避難所ＩＤ及びワンタイムパスワードの組み合わせがパスワードリストに存在しない、または、受信した避難所ＩＤ及びワンタイムパスワードの組み合わせで以前にアクセスがあった場合、認証部２１は認証失敗とする。
【００４５】
携帯電話２から受信した避難所ＩＤ及びワンタイムパスワードの組み合わせがパスワードリストに存在し、受信した避難所ＩＤ及びワンタイムパスワードの組み合わせで以前にアクセスがない場合、認証部２１は認証成功とする。
【００４６】
安否情報登録部２２は、認証成功となったアクセスに対し、携帯電話２の画面へ安否情報登録画面を表示させる。被災者は携帯電話２を操作し、安否情報登録画面へ名前や住所などの安否情報を入力する。携帯電話２は安否情報登録画面に入力された安否情報を安否情報登録部２２に送信する。安否情報登録部２２は受信した安否情報を登録する。放送部２３は、安否情報登録部２２が登録した安否情報を、テレビ番組，ラジオ番組，データ放送，ホームページ等で放送する。
【００４７】
図６の情報収集システムでは、災害発生時に、放送局において被災者の安否情報を収集する際、１回しかアクセスできないワンタイムＱＲコード６が印刷された安否情報登録用紙を避難所４において配布することで、ワンタイムＱＲコード６がインターネット等を介して外部に漏れたとしても、いたずらの発生を最小限に抑えることができる。
【００４８】
すなわち、図６の情報収集システムでは、安否情報登録用紙を避難所４において配布する場合、被災者以外が被災者になりすまして情報を発信するタイミングが被災者による安否情報の登録よりも遅くなる可能性が高いことから、１回しかアクセスできないワンタイムＱＲコード６を利用することで、信憑性の高い安否情報を効率的に収集できる。
【００４９】
避難所ＩＤは、必ずしも、事前に避難所毎に割り当てなくても良い。これは以下の方法により実現できる。パスワード発生部１１は、避難所ＩＤとシリアル番号とからワンタイムパスワードを、あるパスワード発生関数から生成する。ワンタイムＱＲコード生成部１２では、避難所ＩＤとシリアル番号とワンタイムパスワードと安否情報登録サイトのＵＲＬとを含むＱＲコードを生成する。携帯電話はＱＲコードを読み取り、認証登録放送装置２０に避難所ＩＤとシリアル番号とワンタイムパスワードとを送信する。認証登録放送装置２０では、パスワード発生部１１と同じパスワード発生関数を用いてパスワードを生成し、受信したパスワードと比較することで認証を行う。
【００５０】
（実施例１の変形例）
なお、図６の情報収集システムでは、認証部２１における認証方法として、許容アクセス回数又は許容アクセス期間を設定し、同じ避難所ＩＤとワンタイムパスワードとの組み合わせでアクセスされた回数が許容アクセス回数以下、又は同じ避難所ＩＤとワンタイムパスワードとの組み合わせでアクセスされた時刻が許容アクセス期間内であれば認証成功とするようにしてもよい。
【００５１】
また、図６の情報収集システムでは、同じ避難所ＩＤとワンタイムパスワードとの組み合わせでアクセスされた場合に、既に登録された安否情報の閲覧や放送状況などを提示するようにしてもよい。
【００５２】
さらに、図６の情報収集システムでは、必ずしも事前に避難所ＩＤを割り当てておく必要はなく、災害発生後に放送局などの職員が安否情報登録部２２へ避難所ＩＤと避難所名とを登録するようにしてもよい。もしくは、図６の情報収集システムでは、被災者が安否情報の登録時に避難所名を登録してもよい。被災者が安否情報の登録時に避難所名を登録する場合は避難所ＩＤを省略してもよい。
【実施例２】
【００５３】
図７は本発明の情報収集システムの他の例の構成図である。図７の情報収集システムは情報収集装置１と携帯電話２とがインターネット網などのネットワーク３経由で接続されている。
【００５４】
情報収集装置１は、ＱＲコード記録装置１０，認証登録放送装置２０，データ放送装置６１を含む構成である。なお、図７の情報収集システムでは、１つの筐体からなる情報収集装置１を一例として記載しているが、ＱＲコード記録装置１０，認証登録放送装置２０及びデータ放送装置６１の一部又は全部を別々の筐体に設置してもよい。
【００５５】
ＱＲコード記録装置１０は認証情報からワンタイムＱＲコード６を生成し、そのワンタイムＱＲコード６をデータ放送装置６１に送信する。データ放送装置６１はワンタイムＱＲコード６をデータ放送として放送する。
【００５６】
避難所４に設置されているデジタル放送受信機６３はデータ放送網６２経由でデータ放送装置６１からのデータ放送を受信し、ディスプレイ装置９にワンタイムＱＲコード６を表示する。このとき、いたずらの発生を抑えるため、図７の情報収集システムでは、避難所４に設置したデジタル放送受信機６３がワンタイムＱＲコード６を表示できるようにし、避難所４以外に設置したデジタル放送受信機６３がワンタイムＱＲコード６を表示できないようにしている。
【００５７】
避難所４に設置したデジタル放送受信機６３がワンタイムＱＲコード６を表示できるようにし、避難所４以外に設置したデジタル放送受信機６３がワンタイムＱＲコード６を表示できないようにする仕組みとしては、例えばデジタル放送受信機６３を一意に識別できるＢ−ＣＡＳ番号を利用することで実現できる。
【００５８】
Ｂ−ＣＡＳ番号は、デジタル放送受信機６３に挿入されたＢ−ＣＡＳカードから取得できる。データ放送に先立ち、図７の情報収集システムでは、避難所４に設置したデジタル放送受信機６３のＢ−ＣＡＳ番号を情報収集装置１側で把握しておく。図７の情報収集システムでは、例えばワンタイムＱＲコード６を表示できるデジタル放送受信機６３のＢ−ＣＡＳ番号をワンタイムＱＲコード６と共にデータ放送として放送することにより、避難所４に設置したデジタル放送受信機６３でワンタイムＱＲコード６を表示できるようにし、避難所４以外に設置したデジタル放送受信機６３がワンタイムＱＲコード６を表示できないようにすることができる。
【００５９】
ディスプレイ装置９に表示されたワンタイムＱＲコード６は、そのまま携帯電話２の撮影機能を用いて撮影できる。被災者はワンタイムＱＲコード６を携帯電話２の撮影機能を用いて読み込み、そのワンタイムＱＲコード６から認証情報を復号する。
【００６０】
携帯電話２は復号した認証情報をネットワーク３経由で情報収集装置１の認証登録放送装置２０に送信する。認証登録放送装置２０は受信した認証情報で認証を行い、認証が成功した携帯電話２から安否情報を受け付け、受け付けた安否情報を登録する。認証登録放送装置２０は、認証が成功した携帯電話２から受け付けた安否情報を放送することで、安否情報の信憑性を保つことができる。
【００６１】
このように、ＱＲコード記録装置１０で生成されたワンタイムＱＲコード６は避難所４に設置したデジタル放送受信機６３のみで表示できるようにデータ放送として放送されることで、情報を提供する資格のある該当者である被災者により使用される。なお、図７の情報収集装置１のハードウェア構成は、図２と同様であり、説明を省略する。
【００６２】
図８はＱＲコード記録装置の一例の処理ブロック図である。図８のＱＲコード記録装置１０は、パスワード発生部１１，ワンタイムＱＲコード生成部１２，安否登録コンテンツ生成部７１，プログラムＤＢ７２，Ｂ−ＣＡＳ番号ＤＢ７３を含む構成である。パスワード発生部１１はワンタイムパスワードを発生する。このワンタイムパスワードはワンタイムＱＲコード生成部１２と後述する認証登録放送装置２０へ送られる。
【００６３】
ワンタイムＱＲコード生成部１２はワンタイムパスワードからワンタイムＱＲコード６を生成する。ワンタイムＱＲコード生成部１２は、作成したワンタイムＱＲコード６の画像ファイルを安否登録コンテンツ生成部７１に送信する。
【００６４】
安否登録コンテンツ生成部７１は、プログラムＤＢ７２から読み出した安否登録コンテンツのプログラム本体（ａｎｐｉ．ｂｍｌ）と、Ｂ−ＣＡＳ番号ＤＢ７３から読み出したワンタイムＱＲコード６の表示対象となるＢ−ＣＡＳ番号を表したファイル（ｂｃａｓ．ｂｔｂ）と、ワンタイムＱＲコード生成部１２から受信したワンタイムＱＲコード６の画像ファイル（ｑｒ．ｐｎｇ）とにより、安否登録コンテンツを作成する。
【００６５】
安否登録コンテンツのプログラム本体は、例えば放送用マークアップ言語（ＢＭＬ）により記述される。ＢＭＬとは、静止画データ，テキストデータ，付加音声等の素材（モノメディア）の配置や各種制御等を行う情報を符号化したものである。Ｂ−ＣＡＳ番号ＤＢ７３には、ワンタイムＱＲコード６の表示対象となるＢ−ＣＡＳ番号として、避難所４に設置されたデジタル放送受信機６３のＢ−ＣＡＳ番号が登録されているものとする。
【００６６】
安否登録コンテンツ生成部７１で作成された安否登録コンテンツはデータ放送装置６１に送信される。データ放送装置６１は安否登録コンテンツをデータ放送コンテンツとして放送する。デジタル放送におけるデータ放送については、例えば「ＡＲＩＢ  ＳＴＤ−Ｂ２４」に詳しく記載されている。
【００６７】
図９はデジタル放送受信機の一例の処理ブロック図である。図９のデジタル放送受信機６３は、チューナー部８１，デスクランブラ８２，ＴＳデコード部８３，映像音声デコード部８４，電話モデム８５，制御部８６，表示部８７，キー入力部８８を含む構成である。デジタル放送受信機６３にはＢ−ＣＡＳカード８９が挿入されている。
【００６８】
入力された放送信号は、チューナー部８１及びデスクランブラ８２を介してＴＳデコード部８３に供給される。ＴＳデコード部８３は放送信号を映像信号，音声信号及びデータ放送コンテンツに多重分離する。多重分離されたデータ放送コンテンツは制御部８６に供給される。
【００６９】
制御部８６は、データ放送コンテンツで最初にアクセスすることになっているプログラム「ｓｔａｒｔｕｐ．ｂｍｌ」を、供給されたデータ放送コンテンツから読み出す。プログラム「ｓｔａｒｔｕｐ．ｂｍｌ」には、例えば「画面に何も表示せず、赤ボタンが３秒以上押されたら、安否登録コンテンツのプログラム本体「ａｎｐｉ．ｂｍｌ」を読み出す」という動作を記述しておく。
【００７０】
制御部８６は、例えばリモコン９０の赤ボタンが３秒以上押されると、安否登録コンテンツのプログラム本体「ａｎｐｉ．ｂｍｌ」を読み出す。安否登録コンテンツのプログラム本体「ａｎｐｉ．ｂｍｌ」には、例えば「デジタル放送受信機６３のＢ−ＣＡＳ番号を取得し、必要であれば該当するワンタイムＱＲコード６の画像を画面に表示する」という動作を記述しておく。
【００７１】
制御部８６は、Ｂ−ＣＡＳカード８９からＢ−ＣＡＳ番号を取得する。制御部８６は、取得したＢ−ＣＡＳ番号が、ワンタイムＱＲコード６の表示対象となるＢ−ＣＡＳ番号を表したファイル（ｂｃａｓ．ｂｔｂ）に含まれていれば、ワンタイムＱＲコード６の画像ファイル（ｑｒ．ｐｎｇ）から１つの画像ファイルを取得して、画面にワンタイムＱＲコード６を表示する。制御部８６は表示部８７を制御することで、ワンタイムＱＲコード６の画像をモニター出力できる。
【００７２】
被災者は、モニター出力によりディスプレイ装置９に表示されたワンタイムＱＲコード６を携帯電話２の撮影機能を用いて撮影する。なお、携帯電話２及び認証登録放送装置２０の処理ブロックは、図４及び図５と同様であるため、説明を省略する。
【００７３】
上記した情報収集システムは、複数のデジタル放送受信機６３が同じワンタイムＱＲコード６を表示するものであるが、以下のような構成とすることでデジタル放送受信機６３毎に異なるワンタイムＱＲコード６を表示することができる。
【００７４】
安否登録コンテンツ生成部７１は、プログラムＤＢ７２から安否登録コンテンツのプログラム本体（ａｎｐｉ．ｂｍｌ）と、Ｂ−ＣＡＳ番号ＤＢ７３からワンタイムＱＲコード６の表示対象となるＢ−ＣＡＳ番号とを読み出す。安否登録コンテンツ生成部７１は、Ｂ−ＣＡＳ番号ＤＢ７３から読み出したワンタイムＱＲコード６の表示対象となるＢ−ＣＡＳ番号と、ワンタイムＱＲコード生成部１２から受信したワンタイムＱＲコード６の画像ファイル（ｑｒ．ｐｎｇ）とを組み合わせて、図１０の組み合わせファイル（ｂｃａｓ．ｂｔｂ）を生成する。
【００７５】
図１０は組み合わせファイルの一例の構成図である。図１０に示した組み合わせファイルは、Ｂ−ＣＡＳ番号毎に異なるワンタイムＱＲコード６の画像ファイル（画像ファイル名）を組み合わせている。例えばＢ−ＣＡＳ番号「１」は、画像ファイル「ｑｒ１−１．ｐｎｇ」，「ｑｒ１−２．ｐｎｇ」，「ｑｒ１−３．ｐｎｇ」と組み合わされている。
【００７６】
安否登録コンテンツ生成部７１は、安否登録コンテンツのプログラム本体（ａｎｐｉ．ｂｍｌ）と、組み合わせファイル（ｂｃａｓ．ｂｔｂ）と、ワンタイムＱＲコード６の画像ファイル（ｑｒ．ｐｎｇ）とにより、安否登録コンテンツを作成する。
【００７７】
安否登録コンテンツ生成部７１で作成された安否登録コンテンツはデータ放送装置６１に送信される。データ放送装置６１は安否登録コンテンツをデータ放送コンテンツとして放送する。
【００７８】
図９のデジタル放送受信機６３に入力された放送信号は、チューナー部８１及びデスクランブラ８２を介してＴＳデコード部８３に供給される。ＴＳデコード部８３は放送信号を映像信号，音声信号及びデータ放送コンテンツに多重分離する。多重分離されたデータ放送コンテンツは制御部８６に供給される。
【００７９】
制御部８６は、データ放送コンテンツで最初にアクセスすることになっているプログラム「ｓｔａｒｔｕｐ．ｂｍｌ」を、供給されたデータ放送コンテンツから読み出す。制御部８６は、例えばリモコン９０の赤ボタンが３秒以上押されると、安否登録コンテンツのプログラム本体「ａｎｐｉ．ｂｍｌ」を読み出す。
【００８０】
制御部８６は、Ｂ−ＣＡＳカード８９からＢ−ＣＡＳ番号を取得する。制御部８６は、取得したＢ−ＣＡＳ番号が、図１０に示した組み合わせファイル（ｂｃａｓ．ｂｔｂ）に含まれていれば、そのＢ−ＣＡＳ番号と組み合わされている画像ファイルから１つの画像ファイルを取得して、画面にワンタイムＱＲコード６を表示する。
【００８１】
このとき、ディスプレイ装置９に表示されたワンタイムＱＲコード６はＢ−ＣＡＳカード８９から取得されたＢ−ＣＡＳ番号に応じたものとなり、デジタル放送受信機６３毎に異なるワンタイムＱＲコード６を表示することができる。
【００８２】
被災者が携帯電話２にワンタイムＱＲコード６を読み取り、そのワンタイムＱＲコード６を使用して安否情報の登録を行うと、ＱＲコード記録装置１０は使用されたワンタイムＱＲコード６と組み合わされているＢ−ＣＡＳ番号の次のワンタイムＱＲコード６を生成する。
【００８３】
例えば図１０に示した組み合わせファイルの場合、被災者が携帯電話２にワンタイムＱＲコード６の画像ファイル（ｑｒ１−１．ｐｎｇ）を読み取り、そのワンタイムＱＲコード６の画像ファイル（ｑｒ１−１．ｐｎｇ）を使用して安否情報の登録を行うと、ＱＲコード記録装置１０は使用されたワンタイムＱＲコード６の画像ファイル（ｑｒ１−１．ｐｎｇ）と組み合わされているＢ−ＣＡＳ番号「１」の次のワンタイムＱＲコード６の画像ファイル（ｑｒ１−４．ｐｎｇ）を生成する。
【００８４】
そして、組み合わせファイル（ｂｃａｓ．ｂｔｂ）も図１１に示すように更新される。図１１は、更新前後の組み合わせファイル（ｂｃａｓ．ｂｔｂ）を表した説明図である。図１１に示した組み合わせファイルは、使用されたワンタイムＱＲコード６の画像ファイル（ｑｒ１−１．ｐｎｇ）が、Ｂ−ＣＡＳ番号「１」の次のワンタイムＱＲコード６の画像ファイル（ｑｒ１−４．ｐｎｇ）と置き換えられている。
【００８５】
また、ワンタイムＱＲコード生成部１２は、安否登録コンテンツにワンタイムＱＲコード６の画像ファイル（ｑｒ１−４．ｐｎｇ）を追加し、安否登録コンテンツからワンタイムＱＲコード６の画像ファイル（ｑｒ１−１．ｐｎｇ）を削除する。
【００８６】
ディスプレイ装置９に表示されたワンタイムＱＲコード６は、例えばリモコン９０の次ボタン（右矢印ボタンなど）が被災者によって押されると、Ｂ−ＣＡＳ番号「１」の次のワンタイムＱＲコード６に切り替えられる。例えば図１０の組み合わせファイルの場合、画像ファイル（ｑｒ１−１．ｐｎｇ）のワンタイムＱＲコード６は画像ファイル（ｑｒ１−２．ｐｎｇ）のワンタイムＱＲコード６に切り替えられる。
【００８７】
複数個のワンタイムＱＲコード６の表示は、任意の時間（例えば１０秒）毎に１つずつ切り替えて行ってもよいし、複数個のワンタイムＱＲコード６を１画面に表示しもよい。データ放送の画面切り替えは「ＡＲＩＢ  ＴＲ−Ｂ１４」の規定に準ずることで公知技術により実現できる。
【００８８】
デジタル放送受信機６３にはデータ放送用に不揮発性メモリ（電源を落としても記憶内容が消えない半導体メモリ）がある。デジタル放送受信機６３は最後に表示したワンタイムＱＲコード６の画像ファイル名をデータ放送用の不揮発性メモリに記憶することにより、継続的にワンタイムＱＲコード６を順番に表示できる。また、制御部８６は安否登録コンテンツの更新をポーリングし、安否登録コンテンツの更新があった場合、保持している安否登録コンテンツを更新する。
【００８９】
図１２は本発明による情報収集システムの実施例を表した構成図である。例えば放送局では大規模災害が発生した際、避難所４にデジタル放送受信機６３を設置する。情報収集装置１はデジタル放送受信機６３に挿入したＢ−ＣＡＳカード８９のＢ−ＣＡＳ番号が登録される。また、情報収集装置１は避難所４で使用するＢ−ＣＡＳ番号の一切を事前に登録されていてもよい。
【００９０】
情報収集装置１はＱＲコード記録装置１０，認証登録放送装置２０及びデータ放送装置６１を含む構成である。ＱＲコード記録装置１０は、パスワード発生部１１，ワンタイムＱＲコード生成部１２及び安否登録コンテンツ生成部７１を含む構成である。認証登録放送装置２０は、認証部２１，安否情報登録部２２及び放送部２３を含む構成である。
【００９１】
パスワード発生部１１は、避難所４の避難所ＩＤ（避難所ＩＤ＝１５４）と対応付けた複数のワンタイムパスワードを発生し、ワンタイムＱＲコード生成部１２及び認証部２１に送信する。
【００９２】
ワンタイムＱＲコード生成部１２は、避難所ＩＤ，安否情報登録サイトのＵＲＬ及び一つのワンタイムパスワードから一つのワンタイムＱＲコード６を生成して安否登録コンテンツ生成部７１に送信する。なお、避難所ＩＤは事前に避難所毎に割り当てられているものとする。
【００９３】
安否登録コンテンツ生成部７１は、ワンタイムＱＲコード６を受信すると、前述したように安否登録コンテンツを作成する。安否登録コンテンツ生成部７１で作成された安否登録コンテンツはデータ放送装置６１に送信される。データ放送装置６１は安否登録コンテンツをデータ放送コンテンツとして放送する。
【００９４】
避難所４に設置されているデジタル放送受信機６３はデータ放送網６２経由でデータ放送装置６１からの安否登録コンテンツを受信する。デジタル放送受信機６３は受信した安否登録コンテンツに基づいて、前述したようにディスプレイ装置９へワンタイムＱＲコード６を表示する。
【００９５】
なお、前述したように、ワンタイムＱＲコード６を表示できるデジタル放送受信機６３のＢ−ＣＡＳ番号をワンタイムＱＲコード６と共にデータ放送として放送することにより、避難所４に設置したデジタル放送受信機６３はワンタイムＱＲコード６を表示できる。被災者は、ディスプレイ装置９に表示されたワンタイムＱＲコード６を携帯電話２の撮影機能を用いて読み取る。
【００９６】
携帯電話２は読み込んだワンタイムＱＲコード６から避難所ＩＤ，安否情報登録サイトのＵＲＬ及び一つのワンタイムパスワードを復号する。携帯電話２は復号した安否情報登録サイトのＵＲＬに、インターネット網などのネットワーク経由でアクセスし、復号した避難所ＩＤ及びワンタイムパスワードを送信する。
【００９７】
認証部２１は、パスワード発生部１１から受信した避難所４の避難所ＩＤ（避難所ＩＤ＝１５４）と対応付けた複数のワンタイムパスワード（パスワードリスト）と、携帯電話２から受信した避難所ＩＤ及びワンタイムパスワードとを照合する。
【００９８】
携帯電話２から受信した避難所ＩＤ及びワンタイムパスワードの組み合わせがパスワードリストに存在しない、または、受信した避難所ＩＤ及びワンタイムパスワードの組み合わせで以前にアクセスがあった場合、認証部２１は認証失敗とする。
【００９９】
携帯電話２から受信した避難所ＩＤ及びワンタイムパスワードの組み合わせがパスワードリストに存在し、受信した避難所ＩＤ及びワンタイムパスワードの組み合わせで以前にアクセスがない場合、認証部２１は認証成功とする。
【０１００】
安否情報登録部２２は、認証成功となったアクセスに対し、携帯電話２の画面へ安否情報登録画面を表示させる。被災者は携帯電話２を操作し、安否情報登録画面へ名前や住所などの安否情報を入力する。携帯電話２は安否情報登録画面に入力された安否情報を安否情報登録部２２に送信する。安否情報登録部２２は受信した安否情報を登録する。放送部２３は、安否情報登録部２２が登録した安否情報を、テレビ番組，ラジオ番組，データ放送，ホームページ等で放送する。
【０１０１】
図１２の情報収集システムでは、災害発生時に、放送局において被災者の安否情報を収集する際、１回しかアクセスできないワンタイムＱＲコード６を避難所４に設置したデジタル放送受信機６３で表示できるようにし、避難所４以外に設置したデジタル放送受信機６３で表示できないようにデータ放送として放送することで、ワンタイムＱＲコード６がインターネット等を介して外部に漏れたとしても、いたずらの発生を最小限に抑えることができる。
【０１０２】
すなわち、図１２の情報収集システムでは、避難所４に設置したデジタル放送受信機６３で表示できるようにワンタイムＱＲコード６をデータ放送として放送する場合、被災者以外が被災者になりすまして情報を発信するタイミングが被災者による安否情報の登録よりも遅くなる可能性が高いことから、１回しかアクセスできないワンタイムＱＲコード６を利用することで、信憑性の高い安否情報を効率的に収集できる。
【０１０３】
避難所ＩＤは、必ずしも、事前に避難所毎に割り当てなくても良い。これは以下の方法により実現できる。パスワード発生部１１は、避難所ＩＤとシリアル番号とからワンタイムパスワードを、あるパスワード発生関数から生成する。ワンタイムＱＲコード生成部１２では、避難所ＩＤとシリアル番号とワンタイムパスワードと安否情報登録サイトのＵＲＬとを含むＱＲコードを生成する。携帯電話はＱＲコードを読み取り、認証登録放送装置２０に避難所ＩＤとシリアル番号とワンタイムパスワードとを送信する。認証登録放送装置２０では、パスワード発生部１１と同じパスワード発生関数を用いてパスワードを生成し、受信したパスワードと比較することで認証を行う。
【０１０４】
（実施例２の変形例）
なお、図１２の情報収集システムでは、１つのワンタイムＱＲコード６を利用して一人の被災者が安否情報を登録できるようにしている。しかし、データ放送の帯域の有効活用の為には、例えば以下のような時限ＱＲコードを利用した安否情報の登録が望ましい。
【０１０５】
時限ＱＲコードは所定期間（例えば１分）、例えば複数の避難所で同時に画面表示される。時限ＱＲコードの時間管理は、情報収集装置１側で行われる。時限ＱＲコードは安否情報を登録できる被災者の人数の制限を掛けず、所定期間内であれば、複数の避難所の複数の被災者が安否情報を登録できる。
【実施例３】
【０１０６】
図１３は本発明の情報収集システムの他の例の構成図である。図１３の情報収集システムは、情報収集装置１と携帯電話２とがインターネット網などのネットワーク３経由で接続されている。図１３の情報収集システムは、実施例１及び２の情報収集システムと異なり、ワンタイムＱＲコード６を情報収集装置１側で生成せず、避難所４に設置されたワンタイムＱＲコード表示装置１００によって生成する。
【０１０７】
したがって、図１３の情報収集システムにおける情報収集装置１は、実施例１及び２の情報収集システムに含まれていたＱＲコード記録装置１０が省略されている。ワンタイムＱＲコード表示装置１００はコード表示装置の一例である。
【０１０８】
ワンタイムＱＲコード表示装置１００は、情報収集装置１が有する関数（数学的演算）と同一の関数を利用して例えば避難所ＩＤ及び任意の数値（シリアル番号）からワンタイムパスワードを生成する。ワンタイムＱＲコード表示装置１００は、避難所ＩＤ，シリアル番号及びワンタイムパスワードを認証情報としてワンタイムＱＲコード６を生成し、そのワンタイムＱＲコード６を表示する。ワンタイムＱＲコード表示装置１００に表示されたワンタイムＱＲコード６は、そのまま携帯電話２の撮影機能を用いて撮影できる。被災者はワンタイムＱＲコード６を携帯電話２の撮影機能を用いて読み込み、そのワンタイムＱＲコード６から認証情報を復号する。
【０１０９】
携帯電話２は復号した認証情報をネットワーク３経由で情報収集装置１の認証登録放送装置２０に送信する。認証登録放送装置２０は受信した認証情報である避難所ＩＤ，シリアル番号及びワンタイムパスワードの整合性を、ワンタイムＱＲコード表示装置１００が有する関数と同一の関数により判定し、整合性がある場合に認証を成功とする。
【０１１０】
認証登録放送装置２０は、認証が成功した携帯電話２から安否情報を受け付けて登録する。認証登録放送装置２０は認証が成功した携帯電話２から受け付けた安否情報を放送することで、安否情報の信憑性を保つことができる。なお、ワンタイムＱＲコード表示装置１００は位置測位部（ＧＰＳ：Ｇｌｏｂａｌ  Ｐｏｓｉｔｉｏｎｉｎｇ  Ｓｙｓｔｅｍ）を含み、避難所４の設置位置と現在の位置とを比較することにより、避難所４から持ち出されたことを判定できる。避難所４から持ち出されたと判定すると、ワンタイムＱＲコード表示装置１００はワンタイムＱＲコード６の表示を停止する。
【０１１１】
このようなワンタイムＱＲコード表示装置１００を避難所４に設置することにより、ワンタイムＱＲコード６は情報を提供する資格のある該当者である被災者により使用される。なお、図１３の情報収集装置１のハードウェア構成は、図２と同様であり、説明を省略する。
【０１１２】
図１４はワンタイムＱＲコード表示装置の一例の外観図である。図１４のワンタイムＱＲコード表示装置１００は例えばクレジットカードサイズである。ワンタイムＱＲコード表示装置１００はディスプレイ１０１及びボタン１０２を備える。図１４のワンタイムＱＲコード表示装置１００はディスプレイ１０１にワンタイムＱＲコード６を表示している。このワンタイムＱＲコード６には、避難所ＩＤ，シリアル番号及びワンタイムパスワードが、認証情報として符号化されている。
【０１１３】
ワンタイムＱＲコード表示装置１００はボタン１０２が押下されると、ディスプレイ１０１に表示しているワンタイムＱＲコード６を切り替える。ボタン１０２は後述のインターフェース部の一例である。なお、ワンタイムＱＲコード表示装置１００はボタン１０２を備えず、ディスプレイ１０１に表示しているワンタイムＱＲコード６を所定時間毎に自動切り替えするようにしてもよい。
【０１１４】
図１５はワンタイムＱＲコード表示装置の一例の処理ブロック図である。ワンタイムＱＲコード表示装置１００は、パスワード生成部１１１，ＱＲコード化部１１２，ＱＲコード保持部１１３，ＱＲコード切替部１１４，ディスプレイ部１１５，ＧＰＳ値比較部１１６，機能停止部１１７，パラメータ保持部１１８，ＧＰＳ部１１９，ＧＰＳ保持部１２０，インターフェース部１２１，タイマー部１２２を含む構成である。
【０１１５】
パラメータ保持部１１８は、避難所ＩＤ及び任意の数値（シーケンス番号）を保持している。パスワード生成部１１１は、パラメータ保持部１１８が保持している避難所ＩＤ及びシーケンス番号を引数としてワンタイムパスワード生成関数からワンタイムパスワードを生成する。パスワード生成部１１１がワンタイムパスワードの生成に利用するワンタイムパスワード生成関数は情報収集装置１が有するワンタイムパスワード生成関数と同一である。
【０１１６】
ＱＲコード化部１１２はパラメータ保持部１１８が保持している避難所ＩＤ及びシーケンス番号と、パスワード生成部１１１が生成したワンタイムパスワードとをワンタイムＱＲコード化する。ＱＲコード保持部１１３は、ＱＲコード化部１１２が生成したワンタイムＱＲコード６のログを保持する。
【０１１７】
インターフェース部１２１は例えばボタン１０２により構成され、ボタン１０２が押下されることにより、被災者からのワンタイムＱＲコード６の切り替え指示を受け付ける。ＱＲコード切替部１１４は、ＱＲコード化部１１２が生成したワンタイムＱＲコード６を、例えば被災者からのワンタイムＱＲコード６の切り替え指示により切り替えて、次々、ディスプレイ部１１５に表示する。ディスプレイ部１１５は携帯電話２の撮影機能を用いて撮影できるようにワンタイムＱＲコード６を表示する。
【０１１８】
ＧＰＳ部１１９は現在位置を測位する。ＧＰＳ保持部１２０は避難所４にワンタイムＱＲコード表示装置１００を設置したとき、ＧＰＳ部１１９により測位したＧＰＳ値（位置情報）を保持する。ＧＰＳ値比較部１１６は、ＧＰＳ保持部１２０が保持しているＧＰＳ値と、ＧＰＳ部１１９により測位した現在のＧＰＳ値とを比較する。
【０１１９】
機能停止部１１７は、ＧＰＳ値比較部１１６による比較結果に基づき、ワンタイムＱＲコード表示装置１００が避難所４から持ち出されたかを判定する。機能停止部１１７は、ワンタイムＱＲコード表示装置１００が避難所４から持ち出されたと判定すると、ディスプレイ部１１５へのワンタイムＱＲコード６の表示を停止する。タイマー部１２２はワンタイムパスワードを生成するタイミング、ＧＰＳ値を取得するタイミング等を制御する。
【０１２０】
ワンタイムＱＲコード表示装置１００は、例えば図１６及び図１７に示すように動作する。図１６は、ワンタイムＱＲコード表示装置のワンタイムＱＲコードの表示に関する動作を表したフローチャートである。また、図１７はワンタイムＱＲコード表示装置のワンタイムＱＲコードの表示の停止に関する動作を表したフローチャートである。
【０１２１】
図１６のステップＳ１ではタイマー部１２２がタイマーを起動する。ステップＳ２に進み、パスワード生成部１１１はパラメータ保持部１１８が保持している避難所ＩＤ及びシーケンス番号を引数としてワンタイムパスワード生成関数からワンタイムパスワードを生成する。
【０１２２】
ステップＳ３に進み、ＱＲコード化部１１２はパラメータ保持部１１８が保持している避難所ＩＤ及びシーケンス番号を読み出す。ステップＳ４に進み、ＱＲコード化部１１２はパラメータ保持部１１８から読み出した避難所ＩＤ及びシーケンス番号と、パスワード生成部１１１が生成したワンタイムパスワードとをワンタイムＱＲコード化する。
【０１２３】
ステップＳ５に進み、ＱＲコード切替部１１４は、ＱＲコード化部１１２が生成したワンタイムＱＲコード６をディスプレイ部１１５に表示する。ステップＳ６に進み、予め設定されている時間についてタイムアップすると、パスワード生成部１１１はステップＳ２の処理に戻る。
【０１２４】
図１７のステップＳ１１ではタイマー部１２２がタイマーを起動する。ステップＳ１２に進み、ＧＰＳ部１１９が起動される。ＧＰＳ部１１９は現在のＧＰＳ値を測位する。ステップＳ１３に進み、ＧＰＳ保持部１２０はステップＳ１２で測位したＧＰＳ値を保持する。なお、ＧＰＳ保持部１２０は避難所４にワンタイムＱＲコード表示装置１００を設置したとき、ＧＰＳ部１１９により測位したＧＰＳ値も保持している。
【０１２５】
ステップＳ１４に進み、ＧＰＳ値比較部１１６は、ＧＰＳ保持部１２０が保持しているＧＰＳ値と、ＧＰＳ部１１９により測位した現在のＧＰＳ値とを比較する。
【０１２６】
ステップＳ１５に進み、機能停止部１１７はＧＰＳ値比較部１１６による比較結果に基づき、ＧＰＳ値が所定値以上異なる場合、避難所４以外の望まれていない場所にワンタイムＱＲコード表示装置１００が持ち出されたと判定する。ＧＰＳ値が所定値以上異なっていない場合には、避難所４以外の望まれていない場所にワンタイムＱＲコード表示装置１００が持ち出されていないと判定する。
【０１２７】
避難所４以外の望まれていない場所にワンタイムＱＲコード表示装置１００が持ち出されたと判定すると、機能停止部１１７はステップＳ１７に進み、ディスプレイ部１１５へのワンタイムＱＲコード６の表示（図１６のフローチャートの処理）を停止する。避難所４以外の望まれていない場所にワンタイムＱＲコード表示装置１００が持ち出されていないと判定すると、ステップＳ１６に進む。ステップＳ１６では、予め設定されている時間についてタイムアップすると、ＧＰＳ部１１９がステップＳ１２の処理に戻る。
【０１２８】
なお、一旦、避難所４以外の望まれていない場所にワンタイムＱＲコード表示装置１００が持ち出されたと判定されたあと、ＧＰＳ値の比較結果が所定値以下となると、機能停止部１１７は望まれている場所（避難所４）にワンタイムＱＲコード表示装置１００が戻されたと判定して、ディスプレイ部１１５へのワンタイムＱＲコード６の表示（図１６のフローチャートの処理）を再開するようにしてもよい。
【０１２９】
被災者は、ワンタイムＱＲコード表示装置１００に表示されたワンタイムＱＲコード６を携帯電話２の撮影機能を用いて撮影する。なお、携帯電話２の処理ブロックは、図４と同様であるため、説明を省略する。また、認証登録放送装置２０の処理ブロックは、図５と同様である。
【０１３０】
認証登録放送装置２０は、認証部２１，安否情報登録部２２及び放送部２３を含む構成である。認証部２１は、携帯電話２から避難所ＩＤ，シリアル番号及びワンタイムパスワードを受信する。認証部２１は受信した避難所ＩＤ及びシーケンス番号を引数としてワンタイムパスワード生成関数からワンタイムパスワードを生成する。認証部２１がワンタイムパスワードの生成に利用するワンタイムパスワード生成関数はワンタイムＱＲコード表示装置１００が有するワンタイムパスワード生成関数と同一である。
【０１３１】
認証部２１は生成したワンタイムパスワードと受信したワンタイムパスワードとが同一であれば、整合性があると判定し、認証を成功とする。安否情報登録部２２は、認証が成功した携帯電話２から安否情報を受け付けて登録する。放送部２３は登録した安否情報をテレビ番組，ラジオ番組，データ放送，ホームページ等で放送する。
【０１３２】
図１８は本発明による情報収集システムの実施例を表した構成図である。例えば放送局では大規模災害が発生した際、避難所４にワンタイムＱＲコード表示装置１００を設置する。ワンタイムＱＲコード表示装置１００は、情報収集装置１が有するワンタイムパスワード生成関数と同一のワンタイムパスワード生成関数を利用して、避難所４の避難所ＩＤ（避難所ＩＤ＝１５４）及びシーケンス番号を引数としてワンタイムパスワードを生成する。
【０１３３】
ワンタイムＱＲコード表示装置１００は、避難所ＩＤ，シーケンス番号及びワンタイムパスワードをｃｇｉパラメータとする例えば安否情報登録ウェブページのＵＲＬをワンタイムＱＲコード６にＱＲコード化し、ディスプレイ１０１に表示する。
【０１３４】
被災者は、ワンタイムＱＲコード表示装置１００のディスプレイ１０１に表示されたワンタイムＱＲコード６を携帯電話２の撮影機能を用いて読み取る。携帯電話２は読み込んだワンタイムＱＲコード６から安否情報登録ウェブページのＵＲＬを復号し、そのＵＲＬにアクセスする。
【０１３５】
認証登録放送装置２０は、ｃｇｉパラメータから避難所ＩＤ，シーケンス番号及びワンタイムパスワードを取得する。認証登録放送装置２０は、取得した避難所ＩＤ及びシーケンス番号を引数としてワンタイムパスワード生成関数からワンタイムパスワードを生成する。認証登録放送装置２０がワンタイムパスワードの生成に利用するワンタイムパスワード生成関数はワンタイムＱＲコード表示装置１００が有するワンタイムパスワード生成関数と同一である。
【０１３６】
認証登録放送装置２０は生成したワンタイムパスワードと受信したワンタイムパスワードとが同一であれば、整合性があると判定し、認証を成功とする。認証登録放送装置２０は、認証成功となったアクセスに対し、携帯電話２の画面へ安否情報登録画面を表示させる。被災者は携帯電話２を操作し、安否情報登録画面へ名前や住所などの安否情報を入力する。携帯電話２は安否情報登録画面に入力された安否情報を認証登録放送装置２０に送信する。
【０１３７】
認証登録放送装置２０は受信した安否情報を登録する。認証登録放送装置２０は登録された安否情報を、テレビ番組，ラジオ番組，データ放送，ホームページ等で放送する。
【０１３８】
図１８の情報収集システムでは、災害発生時に、放送局において被災者の安否情報を収集する際、１回しかアクセスできないワンタイムＱＲコード６を避難所４に設置したワンタイムＱＲコード表示装置１００で表示することで、ワンタイムＱＲコード６がインターネット等を介して外部に漏れたとしても、いたずらの発生を最小限に抑えることができる。
【０１３９】
また、図１８の情報収集システムでは、災害発生時に、放送局において被災者の安否情報を収集する際、ワンタイムＱＲコード表示装置１００を避難所４以外に持ち出すとワンタイムＱＲコードの表示が停止されることで、ワンタイムＱＲコード表示装置１００の避難所４以外への持ち出しによるワンタイムＱＲコード６の漏洩を避けることができる。
【０１４０】
すなわち、図１８の情報収集システムでは、避難所４に設置したワンタイムＱＲコード表示装置１００で表示できるようにした場合、被災者以外が被災者になりすまして情報を発信するタイミングが被災者による安否情報の登録よりも遅くなる可能性が高いことから、１回しかアクセスできないワンタイムＱＲコード６を利用することで、信憑性の高い安否情報を効率的に収集できる。
【０１４１】
（実施例３の変形例）
なお、図１８の情報収集システムでは、ワンタイムＱＲコード表示装置１００が避難所４以外に持ち出されたときにワンタイムＱＲコードの表示を停止することで、被災者以外が被災者になりすまして安否情報を登録することを限定的にしている。
【０１４２】
ワンタイムＱＲコード表示装置１００は、例えばデータ放送を利用することで更にセキュリティを高め、安否情報の信憑性を保つことができる。図１９は本発明の情報収集システムの他の例の構成図である。図１９の情報収集システムは情報収集装置１と携帯電話２とがインターネット網などのネットワーク３経由で接続されている。
【０１４３】
情報収集装置１は、セキュリティコンテンツ生成部１１０，認証登録放送装置２０，データ放送装置６１を含む構成である。なお、図１９の情報収集システムでは、１つの筐体からなる情報収集装置１を一例として記載しているが、セキュリティコンテンツ生成部１１０，認証登録放送装置２０及びデータ放送装置６１の一部又は全部を別々の筐体に設置してもよい。
【０１４４】
セキュリティコンテンツ生成部１１０は、例えば「黄ボタンが長押しされたら事前に決められたＩＰアドレス（ワンタイムＱＲコード表示装置１００）に対して認証コードとデジタル放送受信機６３のＢ−ＣＡＳ番号とを送信する」という動作を記述したセキュリティコンテンツを生成する。
【０１４５】
セキュリティコンテンツ生成部１１０で生成されたセキュリティコンテンツはデータ放送装置６１に送信される。データ放送装置６１はセキュリティコンテンツをデータ放送コンテンツとして放送する。
【０１４６】
避難所４に設置されているデジタル放送受信機６３はデータ放送網６２経由でデータ放送装置６１からのデータ放送を受信する。なお、デジタル放送受信機６３は図９と同様である。
【０１４７】
制御部８６は、データ放送コンテンツで最初にアクセスすることになっているプログラム「ｓｔａｒｔｕｐ．ｂｍｌ」を、供給されたデータ放送コンテンツから読み出す。プログラム「ｓｔａｒｔｕｐ．ｂｍｌ」には、例えば「画面に何も表示せず、黄ボタンが長押しされたら、セキュリティコンテンツを読み出す」という動作を記述しておく。制御部８６は、例えばリモコン９０の黄ボタンが長押しされると、セキュリティコンテンツを読み出す。
【０１４８】
制御部８６は、Ｂ−ＣＡＳカード８９からＢ−ＣＡＳ番号を取得する。制御部８６は、Ｂ−ＣＡＳ番号と認証コードとをワンタイムＱＲコード表示装置１００に送信する。なお、デジタル放送受信機６３とワンタイムＱＲコード表示装置１００とはデータ通信可能に接続されている。
【０１４９】
ワンタイムＱＲコード表示装置１００は、デジタル放送受信機６３から受信した認証コードに正当性があるかチェックする。認証コードに正当性があればワンタイムＱＲコード表示装置１００は稼働状態となり、受信したＢ−ＣＡＳ番号を含むワンタイムＱＲコード６を前述した手順で次々に生成し、ディスプレイ１０１に表示する。例えば情報収集装置１側に予めＢ−ＣＡＳ番号と避難所名との組み合わせを登録しておけば、Ｂ−ＣＡＳ番号をワンタイムＱＲコードに含ませることにより、被災者が安否情報を登録する際に、避難所名を入力する手間を省くことができる。
【０１５０】
認証コードは所定時間（例えば１分）毎に更新されて放送される。デジタル放送受信機６３は認証コードが更新される度に、Ｂ−ＣＡＳ番号と認証コードとをワンタイムＱＲコード表示装置１００に送信する。ワンタイムＱＲコード表示装置１００は、デジタル放送受信機６３から認証コードとを受信する度に、受信した認証コードに正当性があるかチェックする。
【０１５１】
なお、ワンタイムＱＲコード表示装置１００は所定時間（例えば３分）、新しい認証コードを受信できなければ、ワンタイムＱＲコード６の表示を停止する。また、ワンタイムＱＲコード表示装置１００は起動時と異なるＢ−ＣＡＳ番号を受信したときも、ワンタイムＱＲコード６の表示を停止する。
【０１５２】
ディスプレイ１０１に表示されたワンタイムＱＲコード６は、そのまま携帯電話２の撮影機能を用いて撮影できる。被災者はワンタイムＱＲコード６を携帯電話２の撮影機能を用いて読み込み、そのワンタイムＱＲコード６から認証情報を復号する。
【０１５３】
携帯電話２は復号した認証情報をネットワーク３経由で情報収集装置１の認証登録放送装置２０に送信する。認証登録放送装置２０は受信した認証情報である避難所ＩＤ，シリアル番号及びワンタイムパスワードの整合性を、ワンタイムＱＲコード表示装置１００が有する関数と同一の関数により判定し、整合性がある場合に認証を成功とする。
【０１５４】
認証登録放送装置２０は、認証が成功した携帯電話２から安否情報を受け付けて登録する。認証登録放送装置２０は認証が成功した携帯電話２から受け付けた安否情報を放送することで、安否情報の信憑性を保つことができる。
【図面の簡単な説明】
【０１５５】
【図１】本発明の情報収集システムの一例の構成図である。
【図２】情報収集装置の一例のハードウェア構成図である。
【図３】ＱＲコード記録装置の一例の処理ブロック図である。
【図４】携帯電話の一例の処理ブロック図である。
【図５】認証登録放送装置の一例の処理ブロック図である。
【図６】本発明による情報収集システムの実施例を表した構成図である。
【図７】本発明の情報収集システムの他の例の構成図である。
【図８】ＱＲコード記録装置の一例の処理ブロック図である。
【図９】デジタル放送受信機の一例の処理ブロック図である。
【図１０】組み合わせファイルの一例の構成図である。
【図１１】更新前後の組み合わせファイル（ｂｃａｓ．ｂｔｂ）を表した説明図である。
【図１２】本発明による情報収集システムの実施例を表した構成図である。
【図１３】本発明の情報収集システムの他の例の構成図である。
【図１４】ワンタイムＱＲコード表示装置の一例の外観図である。
【図１５】ワンタイムＱＲコード表示装置の一例の処理ブロック図である。
【図１６】ワンタイムＱＲコード表示装置のワンタイムＱＲコードの表示に関する動作を表したフローチャートである。
【図１７】ワンタイムＱＲコード表示装置のワンタイムＱＲコードの表示の停止に関する動作を表したフローチャートである。
【図１８】本発明による情報収集システムの実施例を表した構成図である。
【図１９】本発明の情報収集システムの他の例の構成図である。
【符号の説明】
【０１５６】
１    情報収集装置
２    携帯電話
３    ネットワーク
４    避難所
５    紙
６    ワンタイムＱＲコード
７    記録メディア
８    ＰＣ
９    ディスプレイ装置
１０    ＱＲコード記録装置
１１    パスワード発生部
１２    ワンタイムＱＲコード生成部
１３    記録部
１４    印刷部
２０    認証登録放送装置
２１    認証部
２２    安否情報登録部
２３    放送部
３１    認証情報復号部
３２    認証情報送信部
３３    情報登録要求部
５１    入力装置
５２    出力装置
５３    ドライブ装置
５４    補助記憶装置
５５    メモリ装置
５６    演算処理装置
５７    インターフェース装置
６１    データ放送装置
６２    データ放送網
６３    デジタル放送受信機
７１    安否登録コンテンツ生成部
７２    プログラムＤＢ
７３    Ｂ−ＣＡＳ番号ＤＢ
８１    チューナー部
８２    デスクランブラ
８３    ＴＳデコード部
８４    映像音声デコード部
８５    電話モデム
８６    制御部
８７    表示部
８８    キー入力部
８９    Ｂ−ＣＡＳカード
９０    リモコン
１００    ワンタイムＱＲコード表示装置
１０１    ディスプレイ
１０２    ボタン
１１０    セキュリティコンテンツ生成部
１１１    パスワード生成部
１１２    ＱＲコード化部
１１３    ＱＲコード保持部
１１４    ＱＲコード切替部
１１５    ディスプレイ部
１１６    ＧＰＳ値比較部
１１７    機能停止部
１１８    パラメータ保持部
１１９    ＧＰＳ部
１２０    ＧＰＳ保持部
１２１    インターフェース部
１２２    タイマー部
【図１】
2008234621.tif 000003
【図２】
2008234621.tif 000004
【図３】
2008234621.tif 000005
【図４】
2008234621.tif 000006
【図５】
2008234621.tif 000007
【図６】
2008234621.tif 000008
【図７】
2008234621.tif 000009
【図８】
2008234621.tif 000010
【図９】
2008234621.tif 000011
【図１０】
2008234621.tif 000012
【図１１】
2008234621.tif 000013
【図１２】
2008234621.tif 000014
【図１３】
2008234621.tif 000015
【図１４】
2008234621.tif 000016
【図１５】
2008234621.tif 000017
【図１６】
2008234621.tif 000018
【図１７】
2008234621.tif 000019
【図１８】
2008234621.tif 000020
【図１９】
2008234621.tif 000021